(57)【要約】【課題】記録、蓄積された広告データを視聴者が早送りやスキップした際にも視聴させ、また広告データが最新ものでないときには、最新の広告データに差し替えることができ、かつ広告データの視聴記録を収集できる広告データ受信管理装置、広告データ管理方法、広告視聴データ収集サーバおよびプログラムを提供する。【解決手段】放送局２からＣＭ枠ＩＤが付加された広告データが受信され、受信した広告データが記憶され、記憶された広告データが再生される際には、当該広告データに付加されているＣＭ枠ＩＤに基づいて、広告データの配信サービス契約期間内かどうかが判別され、広告データの配信サービス契約期間が期間内であると判別された場合には、広告データが再生される。【選択図】    図１
2004240326.tif 000002
【特許請求の範囲】
【請求項１】
放送局から広告データを受信する広告データ受信管理装置であって、
前記放送局から識別データが付加された広告データを受信する広告データ受信手段と、
受信した広告データを記憶する広告データ記憶手段と、
前記広告データを再生する際には、当該広告データに付加されている前記識別データに基づいて、前記広告データの配信サービス契約期間内かどうかを判別する契約期間判別手段と、
前記契約期間判別手段によって前記広告データの配信サービス契約期間が期間内であると判別された場合には、前記広告データを再生する広告データ再生手段と、
を備えたことを特徴とする広告データ受信管理装置。
【請求項２】
前記契約期間判別手段によって前記広告データの配信サービス契約期間が期間内であると判別された場合には、前記識別データに基づいて、前記広告データが更新されているか否かを判別する更新判別手段と、
前記更新判別手段によって前記広告データが更新されていないと判別された場合には、前記広告データを再生し、前記更新判別手段によって前記広告データが更新されていると判別された場合には、最新の広告データと差し替えて当該最新の広告データを再生する広告データ再生手段と、
を備えたことを特徴とする請求項１に記載の広告データ受信管理装置。
【請求項３】
放送局から広告データを受信する広告データ受信管理装置であって、
前記放送局から識別データが付加された広告データを受信する広告データ受信手段と、
受信した広告データを記憶する広告データ記憶手段と、
前記広告データを再生する際には、当該広告データに付加されている前記識別データに基づいて、前記広告データが更新されているか否かを判別する更新判別手段と、
前記更新判別手段によって前記広告データが更新されていないと判別された場合には、前記広告データを再生し、前記更新判別手段によって前記広告データが更新されていると判別された場合には、最新の広告データと差し替えて当該最新の広告データを再生する広告データ再生手段と、
を備えたことを特徴とする広告データ受信管理装置。
【請求項４】
前記広告データ再生手段は、前記広告データ記憶手段に所定のタイミングで予め記憶しておいた最新の広告データを読み出して再生することを特徴とする請求項１乃至３までのいずれかに記載の広告データ受信管理装置。
【請求項５】
前記広告データが再生された情報である広告視聴データを記憶する広告視聴データ記憶手段をさらに備えていることを特徴とする請求項１乃至３のいずれかに記載の広告データ受信管理装置。
【請求項６】
前記広告視聴データは、前記広告データが再生された際に、通常の再生、早送り再生、広告データをスキップして飛ばして再生のいずれかであるかを示す広告データ再生モードの情報を少なくとも含んでいることを特徴とする請求項５に記載の広告データ受信管理装置。
【請求項７】
前記広告データが再生される際に、早送り再生または広告データをスキップして飛ばして再生の命令を受けると、前記広告データの要約処理を行い、要約広告データを作成し、前記広告データに代わって当該要約広告データを再生することを特徴とする請求項１乃至６のいずれかに記載の広告データ受信管理装置。
【請求項８】
前記広告データの要約処理は、前記広告データの全再生時間を５分割し、再生時間の早い方からそれぞれ第１〜第５の広告データとし、この内、前記第１〜第４の広告データの音声データを除いた４つの映像データを同時に４つの表示領域を備える画面上に再生させ、その後、前記第５の広告データの音声データを除いた映像データを再生させ、これら映像データに付加する音声データは、前記第５の広告データの音声データを使用して、前記映像データと合成処理を行うことにより、要約広告データとすることを特徴とする請求項７に記載の広告データ受信管理装置。
【請求項９】
広告データが視聴された情報である広告視聴データを受信して集計する広告視聴データ収集サーバであって、
広告視聴データを受信し、記憶する広告視聴データ記憶手段と、
記憶された前記広告視聴データに基づいて所定の集計処理を行う集計手段と、を備え、前記広告視聴データは、前記広告データが再生された際に、通常の再生、早送り再生、広告データをスキップして飛ばして再生のいずれかであるかを示す広告データ再生モードの情報を少なくとも含んでいることを特徴とする広告視聴データ収集サーバ。
【請求項１０】
受信した広告データを管理する広告データ管理方法であって、
識別データが付加された広告データを受信する広告データ受信ステップと、
受信した広告データを記憶する広告データ記憶ステップと、
前記広告データを再生する際には、当該広告データに付加されている前記識別データに基づいて、前記広告データの配信サービス契約期間内かどうかを判別する契約期間判別ステップと、
前記契約期間判別ステップによって前記広告データの配信サービス契約期間が期間内であると判別された場合には、前記広告データを再生する広告データ再生ステップと、
を備えたことを特徴とする広告データ管理方法。
【請求項１１】
前記契約期間判別ステップによって前記広告データの配信サービス契約期間が期間内であると判別された場合には、前記識別情報に基づいて、前記広告データが更新されているか否かを判別する更新判別ステップと、
前記更新判別ステップによって前記広告データが更新されていないと判別された場合には、前記広告データを再生し、前記更新判別ステップによって前記広告データが更新されていると判別された場合には、最新の広告データと差し替えて当該最新の広告データを再生する広告データ再生ステップと、
を備えたことを特徴とする請求項１０に記載の広告データ管理方法。
【請求項１２】
受信した広告データを管理する広告データ管理方法であって、
識別データが付加された広告データを受信する広告データ受信ステップと、
受信した広告データを記憶する広告データ記憶ステップと、
前記広告データを再生する際には、当該広告データに付加されている前記識別データに基づいて、前記広告データが更新されているか否かを判別する更新判別ステップと、
前記更新判別ステップによって前記広告データが更新されていないと判別された場合には、前記広告データを再生し、前記更新判別ステップによって前記広告データが更新されていると判別された場合には、最新の広告データと差し替えて当該最新の広告データを再生する広告データ再生ステップと、
を備えたことを特徴とする広告データ管理方法。
【請求項１３】
前記広告データ再生ステップは、所定のタイミングで予め記憶しておいた最新の広告データを読み出して再生することを特徴とする請求項１０乃至１２までのいずれかに記載の広告データ管理方法。
【請求項１４】
前記広告データが再生された情報である広告視聴データを記憶する広告視聴データ記憶ステップをさらに備えていることを特徴とする請求項１０乃至１２のいずれかに記載の広告データ管理方法。
【請求項１５】
前記広告視聴データは、前記広告データが再生された際に、通常の再生、早送り再生、広告データをスキップして飛ばして再生のいずれかであるかを示す広告データ再生モードの情報を少なくとも含んでいることを特徴とする請求項１４に記載の広告データ管理方法。
【請求項１６】
前記広告データが再生される際に、早送り再生または広告データをスキップして飛ばして再生の命令を受けると、前記広告データの要約処理を行い、要約広告データを作成し、前記広告データに代わって当該要約広告データを再生することを特徴とする請求項１０乃至１５のいずれかに記載の広告データ管理方法。
【請求項１７】
前記広告データの要約処理は、前記広告データの全再生時間を５分割し、再生時間の早い方からそれぞれ第１〜第５の広告データとし、この内、前記第１〜第４の広告データの音声データを除いた４つの映像データを同時に４つの表示領域を備える画面上に再生させ、その後、前記第５の広告データの音声データを除いた映像データを再生させ、これら映像データに付加する音声データは、前記第５の広告データの音声データを使用して前記映像データと合成処理を行うことにより、要約広告データとすることを特徴とする請求項１６に記載の広告データ管理方法。
【請求項１８】
広告データ受信管理装置が備える記憶装置に記憶されている識別データが付加された広告データを再生する際に、当該広告データ受信管理装置上で動作するプログラムであって、
前記広告データを再生する際に当該広告データに付加されている識別データに基づいて、前記広告データの配信サービス契約期間内かどうかを判別する契約期間判別手順、
前記契約期間判別手段によって前記広告データの配信サービス契約期間が期間内であると判別された場合には、前記広告データを再生する広告データ再生手順、
をコンピュータ装置に実現させるためのプログラム。
【請求項１９】
前記契約期間判別手順によって前記広告データの配信サービス契約期間が期間内であると判別された場合には、前記識別データに基づいて、前記広告データが更新されているか否かを判別する更新判別手順、
前記更新判別手順によって前記広告データが更新されていないと判別された場合には、前記広告データを再生し、前記更新判別手順によって前記広告データが更新されていると判別された場合には、最新の広告データと差し替えて当該最新の広告データを再生する広告データ再生手順、
をコンピュータ装置に実現させるための請求項１８に記載のプログラム。
【請求項２０】
広告データ受信管理装置が備える記憶装置に記憶されている識別データが付加された広告データを再生する際に、当該広告データ受信管理装置上で動作するプログラムであって、
前記広告データを再生する際には、当該広告データに付加されている前記識別データに基づいて、前記広告データが更新されているか否かを判別する更新判別手順と、
前記更新判別手順によって前記広告データが更新されていないと判別された場合には、前記広告データを再生し、前記更新判別手順によって前記広告データが更新されていると判別された場合には、最新の広告データと差し替えて当該最新の広告データを再生する広告データ再生手順、
をコンピュータ装置に実現させるためのプログラム。
【請求項２１】
受信装置が備える記憶手段に記憶されているコンテンツデータを再生する際に、当該受信装置上で動作するプログラムであって、
前記コンテンツデータの再生中に、早送り再生または広告データをスキップして飛ばして再生の指示を受けると、再生中のコンテンツデータが番組データであるか広告データであるかの判別を行うコンテンツデータ判別手順、
前記コンテンツデータ判別手順によって再生中のコンテンツデータが広告データであると判別された場合には、再生中の前記広告データの分解処理を行う広告データ分解手順、
前記広告データ分解手順によって分解処理された広告データを合成処理する広告データ合成手順、
前記広告データ合成手順によって合成処理された広告データを再生する広告データ再生手順、
をコンピュータ装置に実現させるためのプログラム。
【発明の詳細な説明】
【０００１】
【発明の属する技術分野】
この発明は、受信後に記憶装置に蓄積された広告データを管理する技術に係わり、特に蓄積された広告データを最新の広告データと差し替えることができ、かつ広告データの視聴記録が収集できる広告データ受信管理装置、広告データ管理方法、広告視聴データ収集サーバおよびプログラムに関する。
【０００２】
【従来の技術】
近年、放送等のコンテンツデータの記録（録画）用として、ハードディスク（ＨＤＤ）や記録型ＤＶＤ装置を搭載した録画装置、ＨＤＤを搭載したＴＶ等の使用が増大している。この際、記録されたコンテンツデータには、番組データおよび広告（ＣＭ）データが含まれており、これらの記録されたコンテンツデータを視聴（再生）する際には、広告データを早送りしたり、スキップして飛ばしたりして再生することがある。また、一旦録画されたコンテンツデータは、後日、視聴者の時間のあるときに再生される等、実放送よりもかなり遅い時期に視聴されることもある（例えば、特許文献１を参照）。
【０００３】
【特許文献１】
特開２００２−２１７８５０
【０００４】
【発明が解決しようとする課題】
ところが、このような構成では、記録されたコンテンツデータの内、広告データを視聴者が早送りしたり、スキップしたりする際には、視聴者に広告データが視聴されない等、視聴者に対して広告効果が低くなる。また、例え広告データが視聴者に視聴された場合でも、実放送よりも遅い時期に視聴されたのでは、やはり視聴者に対して広告効果が低くなる。また、記録、蓄積された広告データがどれくらい視聴者に視聴されているかを把握することはできない。以上のことから、広告データを提供している広告主は、広告費用を出しているにも係わらず、十分なメリットが得られない場合があり、これに伴い、広告主から番組データを提供する放送局等に対してのＣＭ出稿量が減る等の問題があり、広告料を取ることで視聴者に対し無料放送を行っている民放等の放送局にとっても大きな問題となっている。
【０００５】
この発明は上記事情に着目してなされたもので、その目的とするところは、記録、蓄積された広告データを視聴者が早送りやスキップした際にも視聴させ、また広告データが最新ものでないときには、最新の広告データに差し替えることができ、かつ広告データの視聴記録を収集できる広告データ受信管理装置、広告データ管理方法、広告視聴データ収集サーバおよびプログラムを提供することにある。
【０００６】
【課題を解決するための手段】
上記目的を達成するためにこの発明は、放送局から広告データを受信する広告データ受信管理装置であって、前記放送局から識別データが付加された広告データを受信する広告データ受信手段と、受信した広告データを記憶する広告データ記憶手段と、前記広告データを再生する際には、当該広告データに付加されている前記識別データに基づいて、前記広告データの配信サービス契約期間内かどうかを判別する契約期間判別手段と、前記契約期間判別手段によって前記広告データの配信サービス契約期間が期間内であると判別された場合には、前記広告データを再生する広告データ再生手段とを備えたことを特徴とするものである。
【０００７】
したがってこの発明によれば、放送局から識別データが付加された広告データが受信され、受信した広告データが記憶される。そして、記憶された広告データが再生される際には、当該広告データに付加されている前記識別データに基づいて、前記広告データの配信サービス契約期間内かどうかが判別され、広告データの配信サービス契約期間が期間内であると判別された場合には、広告データが再生される。このため、視聴者は、広告データの配信サービス契約期間が切れて古くなっている広告データの無駄な視聴を省くことができる。
【０００８】
さらにこの発明は、前記契約期間判別手段によって前記広告データの配信サービス契約期間が期間内であると判別された場合には、前記識別情報に基づいて、前記広告データが更新されているか否かを判別する更新判別手段と、前記更新判別手段によって前記広告データが更新されていないと判別された場合には、前記広告データを再生し、前記更新判別手段によって前記広告データが更新されていると判別された場合には、最新の広告データと差し替えて当該最新の広告データを再生する広告データ再生手段とを備えたことを特徴とするものである。
【０００９】
したがってこの発明によれば、広告データの配信サービス契約期間が期間内であると判別された場合には、広告データに付加された識別情報に基づいて、広告データが更新されているか否かが判別され、更新されていると判別された場合には、広告データが再生され、更新されていると判別された場合には、最新の広告データと差し替えて当該最新の広告データが再生される。このため、放送局は、古くなって広告効果が少なくなった広告データは最新の広告データと差し替えて視聴者に視聴させることができる。
【００１０】
さらにこの発明は、放送局から広告データを受信する広告データ受信管理装置であって、前記放送局から識別データが付加された広告データを受信する広告データ受信手段と、受信した広告データを記憶する広告データ記憶手段と、前記広告データを再生する際には、当該広告データに付加されている前記識別データに基づいて、前記広告データが更新されているか否かを判別する更新判別手段と、前記更新判別手段によって前記広告データが更新されていないと判別された場合には、前記広告データを再生し、前記更新判別手段によって前記広告データが更新されていると判別された場合には、最新の広告データと差し替えて当該最新の広告データを再生する広告データ再生手段とを備えたことを特徴とする。
【００１１】
したがってこの発明は、放送局から識別データが付加された広告データが受信され、受信した広告データが記憶され、この広告データが再生される際には、当該広告データに付加されている前記識別データに基づいて、広告データが更新されているか否かが判別される。そして、更新されていないと判別された場合には、広告データが再生され、更新されていると判別された場合には、最新の広告データと差し替えて当該最新の広告データが再生される。このため、視聴者は、広告データの配信サービス契約期間が切れて古くなっている広告データの無駄な視聴を省くことができる。また、放送局は、古くなって広告効果が少なくなった広告データは最新の広告データと差し替えて視聴者に視聴させることができる。
【００１２】
さらにこの発明は、前記広告データ再生手段は、前記広告データ記憶手段に所定のタイミングで予め記憶しておいた最新の広告データを読み出して再生することを特徴とする。
【００１３】
したがってこの発明は、所定のタイミングで予め記憶しておいた最新の広告データが読み出されて再生される。このため、放送の空き時間等に予め最新の広告データを受信しておくため、広告データの差し替え処理を高速に行うことができる。
【００１４】
さらにこの発明は、前記広告データが再生された情報である広告視聴データを記憶する広告視聴データ記憶手段をさらに備えていることを特徴とする。このため、このため、録画された広告データであっても当該広告データの視聴記録を収集でき、広告データの提供者である広告主は、広告費に見合った広告効果が得られているかどうかを判断することができる。
【００１５】
さらにこの発明は、前記広告視聴データは、前記広告データが再生された際に、通常の再生、早送り再生、広告データをスキップして飛ばして再生のいずれかであるかを示す広告データ再生モードの情報を少なくとも含んでいることを特徴とする。このため、広告データの視聴方法の詳細な視聴データを収集することができる。
【００１６】
さらにこの発明は、前記広告データが再生される際に、早送り再生または広告データをスキップして飛ばして再生の命令を受けると、前記広告データの要約処理を行い、要約広告データを作成し、前記広告データに代わって当該要約広告データを再生することを特徴とする。
【００１７】
したがってこの発明によれば、広告データが再生される際に、早送り再生または広告データをスキップして飛ばして再生の命令を受けると、広告データの要約処理が行われ、要約広告データが作成される。そして、前記広告データに代わって当該要約広告データが再生される。このため、録画されたコンテンツデータで視聴者が早送りやスキップした際にも、広告データを視聴者に視聴させることができる。
【００１８】
さらにこの発明は、前記広告データの要約処理は、前記広告データの全再生時間を５分割し、再生時間の早い方から第１〜第５の広告データとし、この内、前記第１〜第４の広告データの音声データを除いた４つの映像データを同時に４つの表示領域を備える画面上に再生させ、その後、前記第５の広告データの音声データを除いた映像データを再生させ、これら映像データに付加する音声データは、前記広告データの音声データを使用して、前記映像データと合成処理を行うことにより、広告データとすることを特徴とする。
【００１９】
したがってこの発明によれば、広告データの要約処理は、広告データの全再生時間を５分割され、再生時間の早い方からそれぞれ第１〜第５の広告データとし、この内、前記第１〜第４の広告データの音声データを除いたそれぞれ４つの映像データが同時に４つの表示領域を備える画面上に再生され、その後、前記第５の広告データの音声データを除いた映像データとし、この映像データに付加する音声データは、前記広告データの音声データが使用され、この音声データが前記映像データと合成処理が行われることにより、広告データとされる。このため、要約された広告データを効率よく作成することができる。
【００２０】
【発明の実施の形態】
（第１の実施形態）
図１は、この発明に係わる広告データ管理方法を適用した広告データ管理システムの一実施の形態を示す系統構成図である。
【００２１】
この実施の形態は、広告（ＣＭ）データ等を提供する広告主１と、この広告主１から広告データを受け、この広告データと番組データ等を組み合わせたコンテンツデータを視聴者に放送（送信）する放送局２と、この放送局２からコンテンツデータを受信する受信装置および表示装置である蓄積型ＴＶ１０と、この蓄積型ＴＶ１０で視聴された視聴データを収集する視聴データ収集サーバ３とから構成されている。
【００２２】
なお、放送局２は、コンテンツデータを提供する事業者であれば、放送局に限定されず、有線ケーブルを用いたコンテンツデータ配信業者等であってもよい。これに伴い、放送局２からコンテンツデータを蓄積型ＴＶ１０に送信するネットワークは、放送波、有線ケーブル、インターネット等コンテンツデータを送信できるものであればよい。また、蓄積型ＴＶ１０から視聴データ収集サーバ３に視聴データを送信するネットワークについても同様である。蓄積型ＴＶ１０は、コンテンツデータを受信できる受信装置としての機能があればよく、ＨＤＤや記録型ＤＶＤ装置を備えた受信装置とモニターやＴＶ等の表示装置を組み合わせたものでもよい。さらに、視聴データ収集サーバ３は、放送局２が備えていてもよく、視聴データを収集する機能があればよい。
【００２３】
また、番組データには、番組固有に振られた識別子である１〜８桁の番組コードが付加されており、広告データには、識別データとしてＣＭコードおよびＣＭ枠ＩＤが付加されている。ＣＭコードは、広告主を特定する４桁の広告主コードと、広告主が独自に付けた６桁の素材コードから構成される１０桁のコードであり、ＣＭ枠ＩＤは、本発明で新たに用いられるもので、少なくとも広告データの有効期限情報（例えば、２００３年の１２月３１日までの有効期限であれば２００３１２３１等）と、当該ＣＭ枠ＩＤのバージョン情報を含んでいる。さらに付加する情報としては、例えば１〜８桁の番組コードおよび４桁の広告主コード等であるが、広告データを特定できる情報であればよく、これらの情報に限定されるものではない。
【００２４】
視聴データ収集サーバ３は、視聴データを記録する視聴データ記録領域４ａを備えた記憶部４と、蓄積型ＴＶ１０からの視聴データを受信し、放送局２および広告主１に集計後の視聴データを送信する制御・通信部５とを有している。
【００２５】
蓄積型ＴＶ１０は、放送局２から受信したコンテンツデータの視聴記録である視聴データの作成、コンテンツデータに含まれている広告データを短く編集する（要約広告データの作成）等の制御を行う制御部１１と、受信したコンテンツデータおよび視聴データ等を記憶する記憶部１２と、受信したコンテンツデータの視聴データを視聴データ収集サーバ３に送信する通信部１３とを有している。この蓄積型ＴＶ１０については、図２を用いて詳細に説明する。
【００２６】
図２に示すように、蓄積型ＴＶ１０の制御部１１は、広告データが最新の広告データでないときには、最新の広告データに差し替えるＣＭ差し替え機能１１ａと、受信したコンテンツデータの視聴データを収集する視聴データ収集機能１１ｂと、受信したコンテンツデータに含まれる広告データが視聴者によって早送り、またはスキップして飛ばして再生された場合に、広告データのダイジェスト版である要約広告データ（時短ＣＭデータ）を作成する時短ＣＭ作成機能１１ｃとを備えている。蓄積型ＴＶ１０の記憶部１２は、受信したコンテンツデータの内、広告データ及びこの広告データに付加されたＣＭコード、ＣＭ枠ＩＤ（及びＣＭ枠ＩＤのバージョン情報）を記憶する広告データ記憶領域１２ａと、受信したコンテンツデータの内、番組データ及びこの番組データに付加された番組コードを記憶する番組データ記憶領域１２ｂと、受信したコンテンツデータの視聴データを記憶する視聴データ記憶領域１２ｃと、視聴者の個人情報（氏名、年齢、性別、住所等）を記憶する視聴者属性情報記憶領域１２ｄとを備えている。
【００２７】
以上のように構成された広告データ管理システムの動作について図３および図４のシーケンス図を用いて説明する。なお、蓄積型ＴＶ１０の記憶部１２の視聴者属性情報記憶領域１２ｄに記憶されている各種属性情報は、氏名や年齢といった各項目毎に予め送信許諾を設定することができる。この場合、送信許諾が設定された情報のみを視聴データに付加して視聴データ収集サーバ３に送信することになる。
【００２８】
まず、ステップ（以下Ｓとする）１で、広告主１から放送局２に広告データ（ＣＭコードが付加されている）の出稿が行われる。この広告データの出稿は、ネットワークを用いた通信回線や光ディスク等の記録媒体等で行われる。Ｓ２で、放送局２は、受信した広告データにさらにＣＭ枠ＩＤ（及びＣＭ枠ＩＤのバージョン情報）を付加する。そして放送局２内等で作成された番組データに番組コードを付加し、これらのＣＭデータとＣＭ枠ＩＤ（及びＣＭ枠ＩＤのバージョン情報）が付加された広告データと、番組コードが付加された番組データとを放送用のコンテンツデータとして編集する。Ｓ３で、放送局２は、編集したコンテンツデータを視聴者等が所有する受信装置である蓄積型ＴＶ１０に送信（放送）する。
【００２９】
Ｓ４で、蓄積型ＴＶ１０は、受信したコンテンツデータを記憶部１２に蓄積、記憶する。この際、受信したコンテンツデータの内、広告データ及びこの広告データに付加されているＣＭコード、ＣＭ枠ＩＤは、広告データ記憶領域１２ａに、番組データ及びこの番組データに付加されている番組コードは、番組データ記憶領域１２ｂに記憶する。Ｓ５で、蓄積型ＴＶ１０は、蓄積されたコンテンツデータのリストを図７に示すような蓄積リストを作成、表示する。このとき、視聴者等から再生指示があったコンテンツデータを蓄積、記憶されたコンテンツデータから抽出し、抽出されたコンテンツデータのコード（ＣＭコードまたは番組コード）を検知する。Ｓ６で、蓄積型ＴＶ１０は、検知されたコードが番組コードであれば、番組データを再生する。一方、検知されたコードが広告コードであれば、この広告コードに付加されているＣＭ枠ＩＤの契約有効期限をチェックする。この契約有効期限とは、前記放送局２等が広告データの配信を契約している期限のことであり、この期限が切れている場合には、広告データの配信を行わない。例えば、４月までの有効期限の広告データをユーザが６月に視聴したとき、その広告（ＣＭ）枠契約期限は６月時点で切れているため、広告データの配信サービスは行われない。
【００３０】
Ｓ７で、蓄積型ＴＶ１０は、ＣＭ枠ＩＤの契約有効期限が切れている場合は、広告データを再生せずに次のコンテンツデータを再生する。一方、ＣＭ枠ＩＤの契約有効期限が期限内である場合は、ＣＭ枠ＩＤのバージョン情報が最新のバージョンであるかどうかを視聴データ収集サーバ３に問い合わせを行うことで確認する。そして、ＣＭ枠ＩＤのバージョン情報が最新のバージョンであれば、そのまま広告データを再生し、ＣＭ枠ＩＤのバージョン情報が最新のバージョンでなければ、Ｓ８で、最新の広告データの送信要求を放送局２に送信する。このとき、蓄積型ＴＶ１０がＳ７以前の任意のタイミングで予め最新の広告データを受信・記憶し、この最新の広告データと差し替えて再生するようにしてもよい。
【００３１】
Ｓ９で、最新の広告データの送信要求を受信した放送局２は、該当する最新の広告データを読み出し、Ｓ１０で、読み出した最新の広告データを蓄積型ＴＶ１０に送信する。Ｓ１１で、蓄積型ＴＶ１０は、受信した広告データを再生し、再生されたときの広告データのＣＭコードとＣＭ再生モード（後述）のデータを取得する。また蓄積型ＴＶ１０の視聴データ収集機能１１ｂは、これらのデータを視聴データとして集計後、記憶部１２の視聴データ記憶領域１２ｃに記憶する。なお、ＣＭ再生モードとは、広告データを再生するときに、通常の再生、早送り再生、及び広告データをスキップして飛ばして再生のいずれかであるかを示す情報のことである。また、視聴データの例としては、図８に示すように、番組データおよびＣＭ（広告）データのそれぞれについて視聴開始時間、視聴終了時間、視聴モード、及び前述した属性情報が記憶されている。
【００３２】
図４に戻りＳ１２で、蓄積型ＴＶ１０は、記憶部１２の視聴者属性情報記憶領域１２ｄに記憶されている各種属性情報の内、送信許諾に設定されている属性情報のみ（例えば、氏名）を集計された視聴データに付加する。Ｓ１３で、蓄積型ＴＶ１０は、以上のように処理された視聴データを視聴データ収集サーバ３に送信する。Ｓ１４で、視聴データ収集サーバ３は、受信した視聴データの集計処理を行う。例えば、図９に示すように、「エアコン花粉編」のＣＭ（広告）データについての集計データの例であれば、属性情報別に集計されており、蓄積（記録）されたコンテンツデータの内、番組データの視聴率は２．８パーセント、ＣＭ（広告データ）の視聴率は、１．５パーセント、蓄積されたコンテンツデータの再生時間帯は、１位が２２時〜２３時、２位が２４時〜１時、３位が１４時〜１５時、コンテンツデータ全体での視聴モードは、通常再生が３５パーセント、スキップ再生が４５パーセント、早送り再生が２０パーセント、のように集計されている。また、図１０に示すように、各番組データ毎に集計を取ることも可能で、集計方法は任意に設定可能であり、例えば、視聴モードを番組データと広告データとで分けて集計する等、例えば送信先の放送局２および広告主１の要望等に基づいて様々な設定ができ、上記実施形態に限定されるものではない。そしてＳ１５およびＳ１６で、視聴データ収集サーバ３は、収集した視聴データを放送局２および広告主１に送信する。
【００３３】
次に、コンテンツデータの内の広告データが再生された際に、スキップや早送りされた場合には、広告データのスキップや早送りを行わずに、広告データのダイジェスト版である要約広告データ（時短ＣＭデータ）を作成し、この要約広告データを再生する。このときの実施形態については、図５および図６を用いて説明する。
【００３４】
図５に示すように、Ｓ２０で、蓄積型ＴＶ１０の時短ＣＭ作成機能１１ｃは、コンテンツデータ再生中に視聴者等による再生の制御操作があった場合に、早送り再生、スキップ再生（広告データをスキップして飛ばして再生）の操作か、または再生停止の操作のいずれかであるかを判別する。再生停止の操作であると判別された場合は、そのまま再生を終了し、スキップ・早送り再生の操作である場合には、Ｓ２１で、時短ＣＭ作成機能１１ｃは、再生中のコンテンツデータが広告データであるかどうかを判別する。広告データでないと判別されたときには、Ｓ２６で番組データを再生し、広告データであると判別されたときには、Ｓ２２で、時短ＣＭ作成機能１１ｃは、再生中の広告データの分解処理を行う。この分解処理は、例えば、図６に示すように、広告データの全再生時間を例えば１５秒とすると、この全再生時間１５秒を５等分し、再生時間の早い方からそれぞれ再生時間３秒である第１〜第５の広告データＡ〜Ｅとする（図６（ａ））。次に、Ｓ２３で、時短ＣＭ作成機能１１ｃは、分解処理された広告データの合成処理を行う。例えば、第１〜第５の広告データＡ〜Ｅの内、前記第１〜第４の広告データＡ〜Ｄの音声データを除いたそれぞれ再生時間３秒の４つの映像データを同時に４つの表示領域を備える画面上に再生時間３秒の間再生させる（図６（ｂ））。その後、前記第５の広告データＥの音声データを除いた再生時間３秒の映像データを再生時間２秒に間引いた映像データを再生する（図６（ｃ））ことで再生時間が計５秒の映像データとし、この映像データに付加する音声データは、前記広告データの全再生時間１５秒の内、最後の５秒の音声データを使用して、この再生時間５秒の音声データを再生時間５秒の前記映像データと合成処理を行うことにより、再生時間５秒の要約広告データとする。図５に戻りＳ２４で、時短ＣＭ作成機能１１ｃは、合成処理された広告データ（要約広告データ）の再生を行う。そして、以上の分解処理と合成処理とを会わせて広告データの要約処理とする。なお、以上のような要約処理に限定されることなく、映像の切り替わりを検知し、これらの映像の切り替わるときから各々例えば３秒間の映像を抽出して使用したり、所定の特徴量に基づいた特徴量抽出技術を使用して映像を抽出する等、映像データの一部を抽出する技術であればよい。
【００３５】
続いて、要約広告データの再生が終了すると、Ｓ２５で、次の再生されるコンテンツデータが広告データであるかどうかを判別する。広告データでないと判別されたときには、Ｓ２６で番組データを再生し、広告データであると判別されたときには、Ｓ２２に遷移し、上述の処理を繰り返す。なお、上記実施形態では、早送り再生またはスキップ再生の操作がされると、要約広告データを作成しているが、変形例として、早送り再生またはスキップ再生の操作がされなくとも、予めすべての広告データに対して要約広告データを作成するように設定することもできる。
【００３６】
また、別の実施形態として、図３では、ＣＭ枠ＩＤのバージョン情報が最新のバージョンでなければ、最新の広告データの送信要求を放送局２に送信するが、上述したように、蓄積型ＴＶ１０が図３のＳ７以前の任意のタイミングで予め受信し、記憶しておいた最新の広告データと差し替えて再生するようにしてもよい。なお、図３のＳ７以前の任意のタイミングとは、真夜中等の放送の空き時間などが考えられる。また、このタイミングでの受信は、常時またはタイマー等による自動受信、手動受信等により行われる。
【００３７】
さらに、図５では、広告データの再生中に早送りやスキップ等が行われた場合に、要約広告データを作成しているが、例えば、広告主（スポンサ）１等からの要望により、広告データを視聴者に一回はフルサイズで見せたいという場合には、所定の広告データの再生履歴をバージョン情報毎に管理しておき、一回目の早送り指示が無効という制御機能を備えておくこともできる。
【００３８】
また、上述した本発明の実施形態の機能である、広告データの視聴記録の取得機能、最新の広告データに差し替えるＣＭ差し替え機能、要約版の広告データを作成する時短ＣＭ作成機能等のこれらの機能が搭載された機器と、これらの機能が搭載されていない機器が混在した中で放送等のサービスを行う場合は、蓄積型ＴＶ１０と放送局２との間で予めこれらの機能を搭載しているかどうかを機器認証して、これらの機能を搭載していない機器では、放送内容にスクランブルを掛けて視聴できないようにするなどの再現制約機能（逆にいうと、上記の機能搭載機器ならばスクランブルを解いて見ることが可能となる）を持つことが望ましい。
【００３９】
また、以上の処理手順または、処理手順の一部を蓄積型ＴＶ１０の記憶部１２に記憶したプログラムまたは、視聴データ収集サーバ３の記憶部４に記憶したプログラムに実行させるようにしてもよい。この場合、蓄積型ＴＶ１０、または視聴データ収集サーバ３は、例えば光ディスクやＨＤＤ等の記録媒体に記録されたプログラムを読み込み、このプログラムによって動作が制御されるコンピュータによって実現される。
【００４０】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。さらに、記憶媒体は、コンピュータと独立した媒体に限らず、ＬＡＮやインターネット等により伝送されたプログラムをダウンロードして記憶又は一時記憶した記憶媒体も含まれる。
【００４１】
また、記憶媒体は１つに限らず、複数の媒体から本実施形態における処理が実行される場合も本発明における記憶媒体に含まれ、媒体構成は何らの構成であってもよい。
【００４２】
なお、上述のコンピュータは、記憶媒体に記憶されたプログラムに基づき、本実施形態における各処理を実行するものであって、パソコン等の１つからなる装置、複数の装置がネットワーク接続されたシステム等の何れの構成であってもよい。また、コンピュータとは、パソコンに限らず、情報処理機器に含まれる演算処理装置、マイコン等も含み、プログラムによって本発明の機能を実現することが可能な機器、装置を総称している。
【００４３】
以上のような構成とすることで、録画されたコンテンツデータで視聴者が早送りやスキップした際にも、広告データを視聴者に視聴させることができ、また古くなって広告効果が少なくなった広告データは最新の広告データと差し替えて視聴者に視聴させることができる。さらに、録画されたコンテンツデータであっても当該コンテンツデータの視聴記録を収集でき、広告データの提供者である広告主は、広告費に見合った広告効果が得られているかどうかを判断することができる。
【００４４】
（第２の実施形態）
図１１は、この発明に係わる広告データ管理システムの一実施の形態を示す系統構成図であり、図１２は、蓄積型ＴＶ１０の詳細な機能ブロック図である。なお、同図において図１および図２と同一部分には同一符号を付して詳しい説明は省略する。当該システムの第１の実施形態と異なる点は、蓄積型ＴＶ１０に備えられていた時短ＣＭ作成機能１１ｃが除かれ、代わりに放送局２に時短ＣＭ作成機能２ａとして設けられている点である。
【００４５】
このような構成により、放送局２が広告主１から広告データを受けた後、放送局２の時短ＣＭ作成機能２ａによって、要約広告データが作成され、視聴者に対して送信される。また、蓄積型ＴＶ１０で広告データを再生中に、早送り再生またはスキップ再生のいずれかの操作が行われた場合には、再生中の広告データに代わって放送局２から要約広告データを受信し、再生する。なお、要約広告データは、放送局２の時短ＣＭ作成機能２ａによって作成される他に、広告主１側で予め作成しておく形態をとってもよい。また、要約広告データは、都度送信されてくるのではなく、予め蓄積型ＴＶ１０に送信され記憶される形態でも良い。
【００４６】
また、第２の実施形態では、第１の実施形態のような分割画面と切り取った音声データを合成するような要約広告データを使用してもよいが、放送局２または広告主１で予め要約広告データを作成しておくので、作成時間に余裕があり、独自に任意の時間（例えば、５秒間）の要約広告データを作成しておき、これを蓄積型ＴＶ１０に送信する形態が望ましい。この場合には、例えば図１３（ａ）が通常の番組データ再生画面であるとすると、放送局２または広告主１で予め作成された要約広告データ１００，１０１を図１３（ｂ）のような分割画面として表示させても良いし、また要約広告データ１０２を図１３（ｃ）のような透過形式にして表示してもよく、表示形式はこれらに限定されるものではない。
【００４７】
以上のような構成であると、蓄積型ＴＶ１０内で時短ＣＭ作成機能を備える必要がなく、受信装置の簡易化、コストダウンが図れる。また蓄積型ＴＶ１０側で要約広告データを作成する必要がないので、性能の高くない受信装置であっても要約広告データをすぐ表示させることができる。なお、この発明の要旨を逸脱しない範囲で上記実施形態を種々変形して実施できることは勿論である。
【００４８】
【発明の効果】
以上詳述したようにこの発明では、記憶装置に記憶された広告データを再生する際には、広告データの識別データに基づいて、広告データが最新のものでないと判別された場合には、放送局から送信される最新の広告データを受信し、記憶装置に記憶後、再生するようにしている。また、広告データ再生中に早送りやスキップが行われた際には、要約広告データを作成し、再生する。さらに、これらの広告データが再生された視聴データを収集する。
【００４９】
したがってこの発明によれば、録画されたコンテンツデータで視聴者が早送りやスキップした際にも、広告データを視聴者に視聴させることができ、また古くなって広告効果が少なくなった広告データは最新の広告データと差し替えて視聴者に視聴させることができる。さらに、録画されたコンテンツデータであっても当該コンテンツデータの視聴記録を収集でき、広告データの提供者である広告主は、広告費に見合った広告効果が得られているかどうかを判断することができる広告データ受信管理装置、広告データ管理方法、広告視聴データ収集サーバおよびプログラムを提供することができる。
【図面の簡単な説明】
【図１】この発明に係わる第１の実施形態の広告データ管理方法を適用した広告データ管理システムの一実施の形態を示す系統構成図。
【図２】図１の蓄積型ＴＶの詳細な機能ブロック図。
【図３】この発明に係わる広告データ管理システムの全体の動作を説明したシーケンス図。
【図４】この発明に係わる広告データ管理システムの全体の動作を説明したシーケンス図。
【図５】蓄積型ＴＶで行われる要約広告データ作成処理を示したフローチャート。
【図６】蓄積型ＴＶで行われる要約広告データ作成処理を示した模式図。
【図７】蓄積型ＴＶで表示される蓄積データのリストを示す模式図。
【図８】コンテンツデータが視聴された記録である視聴データの例を示す図。
【図９】コンテンツデータが視聴された記録である視聴データの集計例を示す図。
【図１０】コンテンツデータが視聴された記録である視聴データの集計例を示す図。
【図１１】この発明に係わる第２の実施形態の広告データ管理方法を適用した広告データ管理システムの一実施の形態を示す系統構成図。
【図１２】図１１の蓄積型ＴＶの詳細な機能ブロック図。
【図１３】予め作成された要約広告データを番組データと合わせて表示させた画面の模式図。
【符号の説明】
１…広告主、２…放送局、２ａ…ＣＭ作成機能、３…視聴データ収集サーバ、  ４ａ…視聴データ記録領域、４…記憶部、５…制御・通信部、１０…蓄積型ＴＶ、１１…制御部、１１ａ…ＣＭ先換え機能、１１ｂ…視聴データ収集機能、１１ｃ…ＣＭ作成機能、１２…記憶部、１２ａ…広告データ記憶領域、１２ｂ…番組データ記憶領域、１２ｃ…視聴データ記憶領域、１２ｄ…視聴者属性情報記憶領域、１３…通信部
【図１】
2004240326.tif 000003
【図２】
2004240326.tif 000004
【図３】
2004240326.tif 000005
【図４】
2004240326.tif 000006
【図５】
2004240326.tif 000007
【図６】
2004240326.tif 000008
【図７】
2004240326.tif 000009
【図８】
2004240326.tif 000010
【図９】
2004240326.tif 000011
【図１０】
2004240326.tif 000012
【図１１】
2004240326.tif 000013
【図１２】
2004240326.tif 000014
【図１３】
2004240326.tif 000015